(57)【要約】【課題】  遊技盤裏面側を覆うカバー体の開口部と調整機構との位置合わせを正確且つ容易に行うことができ、調整機構の不具合の発生を抑制しつつ操作容易性も具備した遊技機を提供する。【解決手段】  演出制御装置の背面には、スライドスイッチ３６と被係合部３８とを備え、カバー体２３には、当該カバー体２３の内面に設けられた係合部４０と、該係合部４０と被係合部３８とが係合した状態でスライドスイッチ３６を臨ませる開口部５４と、取付ベース２０に対して当該カバー体２３を着脱自在に取り付けるための係合機構５７とを備え、カバー体２３の内面の係合部４０を演出制御装置の背面の被係合部３８に係合すると共に、取付ベース２０に形成される係合機構受部に係合機構５７を係合して、カバー体２３を取付ベース２０の背面に取り付け、カバー体２３は、開口部５４にスライドスイッチ３６を臨ませた状態で、演出制御装置を含む遊技盤７の裏面側を覆う。【選択図】  図２
2005323861.tif 000002
【特許請求の範囲】
【請求項１】
区画部材により囲まれる遊技領域を形成した遊技盤と、
遊技盤の中央開口部に臨む表示装置の表示制御を行う制御装置と、
遊技盤裏面側に制御装置を取り付ける取付ベースと、
球排出機構等の一連の裏機構部品が設けられた裏機構盤と、
を備え、
裏機構盤に開設された開口窓部から臨む遊技盤裏面側をカバー体で覆うように構成した遊技機において、
前記制御装置の背面には、
当該制御装置の調整機構と、
前記カバー体の内面と対向する位置に配設された被係合部と、
を備え、
前記カバー体には、
当該カバー体の内面に設けられた係合部と、
該係合部と前記被係合部とが係合した状態で前記調整機構を臨ませる開口部と、
前記取付ベースに対して当該カバー体を着脱自在に取り付けるための係合機構と、
を備え、
前記カバー体内面の係合部を前記制御装置背面の被係合部に係合すると共に、前記取付ベースに形成された係合機構受部に前記係合機構を係合して、カバー体を取付ベースの背面に取り付け、
この取り付けられたカバー体により、前記開口部に前記調整機構を臨ませた状態で、制御装置を含む遊技盤裏面側を覆うことを特徴とする遊技機。
【請求項２】
前記制御装置は、前記取付ベースの左右方向の何れかに偏って配置され、
前記係合機構は、前記制御装置が配置される側とは反対側に設けられたことを特徴とする請求項１に記載の遊技機。
【請求項３】
前記調整機構が臨む前記開口部と前記調整機構の先端部とが所定の間隔を隔てて配置されることを特徴とする請求項１又は２に記載の遊技機。
【請求項４】
前記取付ベースは、当該取付ベース内面と遊技盤裏面との間に遊技球の流下空間を形成したことを特徴とする請求項１から３の何れかに記載の遊技機。
【請求項５】
前記被係合部の周辺に、前記係合部を係合位置へ案内するガイドを設けたことを特徴とする請求項１から４の何れかに記載の遊技機。
【発明の詳細な説明】
【技術分野】
【０００１】
本発明は、遊技盤裏面側に制御装置を配設し、この制御装置をカバー体で覆うパチンコ遊技機等の遊技機に関する。
【背景技術】
【０００２】
従来、遊技領域に遊技球を弾発して遊技を進行する遊技機としてパチンコ遊技機、雀球式遊技機、アレンジボール式遊技機等があり、これら遊技機の外形は所定の規制により制限されている。そして、遊技機は、遊技進行を制御する様々な制御装置を、限られた大きさの筐体内に収めなければならない。そこで、制御装置を効率よく配置するために、遊技機に対して様々な工夫が施されている。例えば、特許文献１に例示するパチンコ遊技機では、遊技盤の裏面側に入賞球集合樋を取り付けると共に、該入賞球集合樋をカバー体で覆い、入賞球集合樋背面とカバー体内面との間に形成される収納空間を利用し、カバー体内面に制御装置を配設している。
【特許文献１】特開平０６−０２３１１４号公報
【発明の開示】
【発明が解決しようとする課題】
【０００３】
ところで、制御装置の中には、音量等の調整機構を備えたもの（例えば、演出制御装置）がある。この調整機構を備えた制御装置を上述したような収納空間に配置する場合には、調整機構の操作性を考慮する必要がある。これは、調整を行う度にカバー体を開閉する状況では、作業員は、迅速な調整作業を行い難いからである。そのため、遊技機は、カバー体に調整機構が臨む開口部を開設し、カバー体を開けずに調整機構を操作できるように構成されることが望ましい。しかしながら、カバー体に開口部を開設した場合には、遊技機は、カバー体および制御装置を取り付ける際に、調整機構と開口部との位置合わせを正確に行える構成を備える必要がある。また、取付作業の効率を向上させるために、調整機構と開口部とを容易に位置合わせできる構成も要求される。
【０００４】
また、カバー体に単なる開口部を開設し、該開口部から調整機構を臨ませただけの遊技機では、制御装置の上方に配設される球タンクからこぼれた遊技球や、いわゆる島設備の球循環機構等からこぼれた遊技球が調整機構に当たったり、遊技機の前面枠を開ける保守作業時に、作業者の不注意で腕等が当たったりして、調整機構に不具合（損傷）が発生する虞がある。
【０００５】
そこで、本発明は、上記の事情に鑑みてなされたものであり、その目的は、遊技盤裏面側を覆うカバー体の開口部と調整機構との位置合わせを正確且つ容易に行うことができ、調整機構の不具合の発生を抑制しつつ操作容易性も具備した遊技機を提供しようとするものである。
【課題を解決するための手段】
【０００６】
本発明は、上記目的を達成するために提案されたものであり、請求項１に記載のものは、区画部材により囲まれる遊技領域を形成した遊技盤と、
遊技盤の中央開口部に臨む表示装置の表示制御を行う制御装置と、
遊技盤裏面側に制御装置を取り付ける取付ベースと、
球排出機構等の一連の裏機構部品が設けられた裏機構盤と、
を備え、
裏機構盤に開設された開口窓部から臨む遊技盤裏面側をカバー体で覆うように構成した遊技機において、
前記制御装置の背面には、
当該制御装置の調整機構と、
前記カバー体の内面と対向する位置に配設された被係合部と、
を備え、
前記カバー体には、
当該カバー体の内面に設けられた係合部と、
該係合部と前記被係合部とが係合した状態で前記調整機構を臨ませる開口部と、
前記取付ベースに対して当該カバー体を着脱自在に取り付けるための係合機構と、
を備え、
前記カバー体内面の係合部を前記制御装置背面の被係合部に係合すると共に、前記取付ベースに形成された係合機構受部に前記係合機構を係合して、カバー体を取付ベースの背面に取り付け、
この取り付けられたカバー体により、前記開口部に前記調整機構を臨ませた状態で、制御装置を含む遊技盤裏面側を覆うことを特徴とする遊技機である。
【０００７】
ここで、調整機構とは、スピーカーからの音量の調整や装飾用ランプ・ＬＥＤの輝度調整等を行うための機構の他に、例えば、ＲＡＭ等の不揮発性メモリにバックアップされている記憶内容をクリアするメモリクリアスイッチ等も概念に含まれる。
【０００８】
請求項２に記載のものは、前記制御装置は、前記取付ベースの左右方向の何れかに偏って配置され、
前記係合機構は、前記制御装置が配置される側とは反対側に設けられたことを特徴とする請求項１に記載の遊技機である。
【０００９】
請求項３に記載のものは、前記調整機構が臨む前記開口部と前記調整機構の先端部とが所定の間隔を隔てて配置されることを特徴とする請求項１又は２に記載の遊技機である。
【００１０】
請求項４に記載のものは、前記取付ベースは、当該取付ベース内面と遊技盤裏面との間に遊技球の流下空間を形成したことを特徴とする請求項１から３の何れかに記載の遊技機である。
【００１１】
請求項５に記載のものは、前記被係合部の周辺に、前記係合部を係合位置へ案内するガイドを設けたことを特徴とする請求項１から４の何れかに記載の遊技機である。
【発明の効果】
【００１２】
本発明によれば、以下のような優れた効果を奏する。
請求項１に記載の発明によれば、区画部材により囲まれる遊技領域を形成した遊技盤と、遊技盤の中央開口部に臨む表示装置の表示制御を行う制御装置と、遊技盤裏面側に制御装置を取り付ける取付ベースと、球排出機構等の一連の裏機構部品が設けられた裏機構盤とを備え、裏機構盤に開設された開口窓部から臨む遊技盤裏面側をカバー体で覆うように構成した遊技機において、前記制御装置の背面には、当該制御装置の調整機構と、前記カバー体の内面と対向する位置に配設された被係合部とを備え、前記カバー体には、当該カバー体の内面に設けられた係合部と、該係合部と前記被係合部とが係合した状態で前記調整機構を臨ませる開口部と、前記取付ベースに対して当該カバー体を着脱自在に取り付けるための係合機構とを備え、前記カバー体内面の係合部を前記制御装置背面の被係合部に係合すると共に、前記取付ベースに形成された係合機構受部に前記係合機構を係合して、カバー体を取付ベースの背面に取り付け、この取り付けられたカバー体により、前記開口部に前記調整機構を臨ませた状態で、制御装置を含む遊技盤裏面側を覆うようにしたので、調整機構が開口部から臨むようにカバー体を正確且つ容易に位置合わせできる。さらに、カバー体と取付ベースとの係合箇所を少なくすることができ、部品点数の増加を抑制できる。したがって、カバー体と取付ベースとの取付作業の効率を向上させることができる。
【００１３】
請求項２に記載の発明によれば、前記制御装置は、前記取付ベースの左右方向の何れかに偏って配置され、前記係合機構は、前記制御装置が配置される側とは反対側に設けられたので、係合状態の係合部および被係合部と係合機構とが相俟って取付ベースにカバー体を安定させた状態で且つ着脱可能に取り付けることができ、また、カバー体の取り付けに必要な部品点数を少なく抑えることができる。
【００１４】
請求項３に記載の発明によれば、前記調整機構が臨む前記開口部と前記調整機構の先端部とが所定の間隔を隔てて配置されるので、遊技球が制御装置の上方に配設される球タンクや、島設備の球循環機構等から制御装置に向かって落下したとしても、この遊技球が調整機構に当たる不都合を防止することができる。また、保守作業時に作業者の腕等が調整機構に当たる虞をなくすことができる。したがって、不用意な動作や作業によって調整機構が損傷することを阻止することができる。
【００１５】
請求項４に記載の発明によれば、前記取付ベースは、当該取付ベース内面と遊技盤裏面との間に遊技球の流下空間を形成したので、取付ベースを制御装置の取付機能のみならず、球寄せ機能をも備えることができる。したがって、遊技盤裏面に球寄せ機能を有する別の部材を備える必要がなく、遊技盤裏面の空間を有効に活用することができる。
【００１６】
請求項５に記載の発明によれば、前記被係合部の周辺に、前記係合部を係合位置へ案内するガイドを設けたので、係合部と被係合部とを容易に係合させることができ、カバー体の取付作業を迅速に行うことができる。
【発明を実施するための最良の形態】
【００１７】
以下、代表的な遊技機であるパチンコ遊技機を例に挙げて、本発明の実施の最良の形態を図面に基づき説明する。図１はパチンコ遊技機１の背面図である。なお、以下の説明においては、便宜上、特記しない限りパチンコ遊技機１の遊技者側を「前」として前後方向および左右方向を示す。
【００１８】
パチンコ遊技機１は、外枠（機枠あるいは本体枠）２に、大きな開放開口を有する額縁状の内枠（前面枠）３の一側を開閉可能に取り付け、この内枠３の裏面側に遊技盤収納部４を内枠３の開放開口の縁に沿って一体成型し、該遊技盤収納部４の裏面側に裏機構盤５を形成している。また、遊技盤収納部４および裏機構盤５には略矩形状の開口窓部６を、内枠３の開放開口よりもひと回り小さくなる状態で開設している。そして、遊技盤収納部４内に遊技盤７を内枠３の前方から交換可能な状態で取り付けるとともに、遊技盤７の裏面を開口窓部６から後方へ臨ませている。
【００１９】
また、裏機構盤５には、一連の裏機構部品が設けられている。具体的に説明すると、裏機構盤５の上部には球排出機構１０を、下部には排出制御装置１１、電源装置１２、中継基板１３等をそれぞれ取り付けている。球排出機構１０は、上から順に、球導出シュートを下部に備えた球タンク１４、球排出装置１５、球タンク１４の球導出シュートから球排出装置１５に遊技球を案内する案内流路１６、球排出装置１５から流下した遊技球をパチンコ遊技機１の前面の上皿（図示せず）へ案内する球流下路１７等を並べて設けたユニットであり、排出制御装置１１からの制御信号に基づいて遊技球の排出を実行するように構成されている。
なお、本実施形態では、内枠３に遊技盤収納部４および裏機構盤５を一体成型したが、遊技盤収納部４または裏機構盤５を別部材で構成して内枠３に装着するようにしてもよい。
【００２０】
次に、遊技盤７について説明する。
遊技盤７は、表面にガイドレール等の区画部材により囲まれた遊技領域を区画形成し、該遊技領域に大入賞口、一般入賞口、アウト口等を配設している（いずれも図示せず）。また、遊技領域の略中央部には中央開口部を開設し、該中央開口部にセンターケースを配設し、該センターケースの奥側に開口された窓部内に液晶表示装置等の表示装置を臨ませている（いずれも図示せず）。そして、図２および図３に示すように、当該遊技盤７の裏面のうち、裏機構盤５等に開設した前記開口窓部６から臨む部分に取付ベース２０を装着し、該取付ベース２０上には複数の制御装置（本実施形態では、遊技制御装置２１および演出制御装置２２）を取り付け、さらには、開口窓部６から臨む遊技盤７の裏面側、具体的には取付ベース２０の一部や、制御装置（本実施形態では、演出制御装置２２）をカバー体２３で後方（遊技盤７とは反対方向）から覆っている。
【００２１】
取付ベース２０は、遊技盤７の裏面側に制御装置を取り付けるための部材であり、遊技盤７の裏面側の上部から中央部に亘って装着される上側取付ベース２４と、遊技盤７の裏側の下部に装着される下側取付ベース２５とを上下に並べて構成されている。上側取付ベース２４は、表示装置の後方、言い換えると遊技盤７の中央開口部およびセンターケースの後方を覆う状態で取り付けられている。なお、本実施形態の上側取付ベース２４は、その中央部分であって遊技盤７の表示装置の後方に、円形蓋状の表示装置後方カバー２６を備え、該表示装置後方カバー２６の中央に回動軸受２７を配置し（図５，６参照）、表示装置が表示画面を前方に向けた状態で回動軸受２７を中心に９０度回動して横長な表示画面が遊技進行に伴って縦長状態に、また、再び横長状態に変換できるように構成されている。
【００２２】
下側取付ベース２５は、その後側（遊技盤７とは反対側）に横長な装着プレート２８を備え、該装着プレート２８の後面に制御装置が装着される平坦面を形成している。なお、本実施形態では、装着プレート２８には、遊技を統括的に制御する遊技制御装置２１が装着される。
【００２３】
また、取付ベース２０は、遊技盤７の表面のいずれかの入賞口へ入賞した入賞球（賞を発生させた遊技球）を回収するための球寄せとして機能する樋状の構成を備えている。具体的に説明すると、上側取付ベース２４および下側取付ベース２５は、図５に示すように、遊技盤７の裏面と対向する内面を遊技盤７から所定間隔（例えば、遊技球が十分に通過し得る間隔）空けて離隔し、上記内面から遊技盤７の裏面側へ向けて壁部３０を突設することで、入賞球の流下樋３１（本発明における遊技球の流下空間に相当）を区画形成している。なお、本実施形態では、壁部３０により流下樋３１を区画形成したが、本発明はこれに限定されない。例えば、取付ベース２０を厚板で構成し、遊技盤７の裏面と対向する面の一部を遊技球が十分に通過し得る程度に凹ませ、この凹み部と遊技盤７の裏面とで流下空間を区画形成してもよい。
【００２４】
このように、取付ベース２０は、流下樋３１を形成することで、各制御装置２１，２２の取付機能だけではなく、入賞球の球寄せ機能をも備えることができる。したがって、遊技盤７の裏面に取付ベース２０とは別体となる球寄せ専用の部材をわざわざ設ける必要がなく、遊技盤７の裏面に取り付ける構成部品の点数を少なく抑えることができる。さらに、遊技盤７の裏面側の限られた空間を有効に活用することができる。
【００２５】
上側取付ベース２４に取り付けられる演出制御装置２２は、遊技進行に伴って遊技盤７における演出（表示装置の表示内容、スピーカーからの効果音出力、装飾ランプの点灯等）を制御するためのものである。この演出制御装置２２は、図７に示すように、演出制御基板３３を透明樹脂で成形された縦長箱体状の制御基板ボックス３４に収納して構成されている。そして、演出制御基板３３にはＣＰＵ，ＲＯＭ，ＲＡＭ等の他に、遊技制御装置２１や表示装置，装飾ランプ，スピーカー等へ電気的に接続する複数のコネクタ３５と、スピーカーからの音量の調整を行う調整機構（本実施形態では音量を大または小に切り換えるスライドスイッチ３６）とを実装し、このコネクタ３５およびスライドスイッチ３６を制御基板ボックス３４の背面の一側（図中左側）に開設された複数のボックス開口部３７から後方へ突出させている。
【００２６】
また、制御基板ボックス３４の背面の中央よりも僅かに上方寄りの位置には、被係合部３８がカバー体２３の内面と対向する状態で備えられている。この被係合部３８は、後述のカバー体２３の係合部４０を係合してカバー体２３を演出制御装置２２に取り付けるためのものであり、制御基板ボックス３４の背面から後方へ突設した状態で一体成型されている。また、上方から見てコ字状に形成されることで、上下方向に貫通する係合受空間４１を開設し、該係合受空間４１の上側開口縁には、係合部４０の一部を下方から係止する係止部４２を備えている（図８参照）。さらに、被係合部３８の周辺であって係合受空間４１の上方および下方（すなわちカバー体２３の係合部４０が移動する方向。後で詳述する。）には、縦長な複数のガイド４３が制御基板ボックス３４の背面から後方へ向けて突出されている。このガイド４３は、カバー体２３の係合部４０を係合位置、すなわち係合受空間４１内に案内するためのものであり、図８（ｃ）に示すように、突出端と被係合部３８の内側面との間隔を、カバー体２３の係合部４０の厚さよりも僅かに狭くなるように設定されている。また、突出端から被係合部３８とは反対側へ向けて下り傾斜する傾斜部４４を備え、該傾斜部４４により係合部４０の先端が係合受空間４１に案内されるように構成されている。
なお、被係合部３８とカバー体２３の係合部４０との係合動作については、後で詳細に説明する。
【００２７】
そして、このような構成を備えた演出制御装置２２は、左右両側から延設した取付部４５を上側取付ベース２４に設けられた取付ボス４６に止着部材（ビス等）で止着することで、上側取付ベース２４の一側寄り（図中左寄り）に偏って配置されている。
【００２８】
カバー体２３は、図９および図１０に示すように、前面を大きく開口し、中央部分を後方へ向けて大きく膨出させた透明樹脂製の略箱形状蓋材であり、背面には、スリット状の通気孔４８を開設すると共に、中継基板（例えば、演出制御装置２２と電源装置１２とを中継するための中継基板）を取り付ける中継基板取付部４９を設けている。
【００２９】
また、カバー体２３の膨出内面の一側寄り（図９中左寄り）且つ上側寄りの位置には、演出制御装置２２の被係合部３８に係合する舌片状の係合部４０が内部下方へ向けて一体成型されている。この係合部４０は、図８（ｃ）および図１０に示すように、カバー体２３の膨出内面から前方へ向けて突設された支持部５０と、該支持部５０の先端から下方へ向けて延設された舌片状の係合先端部５１とにより縦断面が逆Ｌ字状を呈するように構成されている。また、係合先端部５１の後方に対応するカバー体２３の背面には、係合部４０と略同じ幅の矩形状窓部５２が開設され、該窓部５２から係合部４０と被係合部３８との係合状態を確認できるようになっている。なお、係合先端部５１は、その横幅を被係合部３８の係合受空間４１の横幅よりも僅かに狭い寸法で形成されている。したがって、係合部４０と被係合部３８とが係合状態にあるとき、カバー体２３は左右方向へずれ難く、横方向の位置決めを容易に行うことができる。
【００３０】
また、カバー体２３は、演出制御装置２２と対向する内面のうち、スライドスイッチ３６と対向する箇所およびその周辺を演出制御装置２２へ向けて小さく膨出し、この膨出部の先端面に横長な開口部５４を開設して、スライドスイッチ３６の操作部３６ａが大または小のいずれの調整位置にあってもこの操作部３６ａを開口部５４から臨ませるように構成されている。また、開口部５４は、遊技球が通過しない程度の大きさで開設されている。したがって、球タンク１４や島設備の球循環機構等から遊技球が落下したとしても、この遊技球が開口部５４からカバー体２３の内側に侵入することを防ぐことができ、操作部３６ａに衝突する虞がない。なお、開口部５４とスライドスイッチ３６との詳細な位置関係については、後で説明する。
【００３１】
そして、カバー体２３の縁部のうち、演出制御装置２２が寄せられた側とは反対側の縁部（図９中右側縁部）、あるいは係合部４０が寄せられた上側とは反対側の縁部（下側縁部）には、取付孔５６が開設され、該取付孔５６にはカバー体２３を取付ベース２０に取り付けるための係合機構５７が取り付けられている（図２参照）。この係合機構５７は、取付ベース２０に設けられた係合機構受部５８に嵌脱自在な状態で係合されることで、カバー体２３を着脱自在に取り付けている。このように、係合機構５７をカバー体２３の係合部４０とは反対側（または演出制御装置２２とは反対側）に設けたことで、係合状態の係合部４０および被係合部３８と係合機構５７とが相俟って取付ベース２０にカバー体２３を安定させた状態且つ着脱可能に取り付けることができる。したがって、カバー体２３を取り付けるための部品点数を抑制することができる。なお、係合機構５７としては、プランジャを押し込むとグロメットが拡径して止着でき、プランジャを引き出すとグロメットが縮径して取り出せるワンタッチ止着具が好適である。
【００３２】
上記した構成からなるカバー体２３を取付ベース２０、すなわち遊技盤７の裏面側に取り付けるには、まず、カバー体２３を取付ベース２０および演出制御装置２２の後方から覆い被せて、係合部４０を演出制御装置２２の背面であって、被係合部３８の上方に当接する。係合部４０を当接したならば、そのままカバー体２３を下方へずらす。すると、係合部４０は、上側のガイド４３の傾斜部４４に案内されて後方へ移動しながら係合先端部５１を係合受空間４１に近づける。そして、カバー体２３をさらに下降させると、係合部４０の係合先端部５１が係合受空間４１に入り、支持部５０が係止部４２に当接したところでカバー体２３の位置が決まる。また、下側のガイド４３が係合先端部５１に前方から当接して、係合部４０が前後方向に傾くことを防ぐことができる。このようにガイド４３により係合部４０を案内することで、係合部４０と被係合部３８とを容易に係合させることができ、カバー体２３の取付作業を迅速に行うことができる。
【００３３】
係合部４０と被係合部３８とが係合してカバー体２３の位置が決まると、開口部５４は、スライドスイッチ３６の後方に配置され、スライドスイッチ３６を臨ませる状態となる。このように、カバー体２３の位置決めと併せて、スライドスイッチ３６と開口部５４との位置合わせを正確且つ容易に行うことができる。そして、開口部５４は、図１１に示すように、スライドスイッチ３６の操作部３６ａの先端から所定の間隔（例えば、当該開口部５４から操作部３６ａの先端が突出しない程度の間隔）を隔てて配置される。したがって、球タンク１４や島設備の球循環機構等から遊技球が落下したとしても、この遊技球が開口部５４からカバー体２３の内側に侵入することを防ぐことができ、操作部３６ａに衝突する虞がない。また、落下してきた遊技球がカバー体２３に衝突したとしても、衝突の振動がスライドスイッチ３６に直接伝播することがなく、スライドスイッチ３６が損傷したり調整状態が変わったりしてしまう不具合を防ぐことができる。さらに、保守作業においては、作業者の腕等が調整機構に当たる虞をなくすことができる。したがって、不用意な動作や作業によって調整機構が損傷することを阻止することができる。なお、スライドスイッチ３６は、開口部５４からマイナスドライバー等を挿入して簡単に操作することができる。
【００３４】
カバー体２３の位置が決まった状態で係合機構５７を係合機構受部５８に係合すれば、カバー体２３を固定することができる。このように簡単な構造でカバー体２３を固定できるので、カバー体２３と取付ベース２０との取付箇所を少なくすることができ、部品点数の増加を抑制できる。したがって、カバー体２３と取付ベース２０との取付作業の効率を向上させることができる。
【００３５】
上記実施形態では、調整機構を、音量の大小を調整するためのスライドスイッチ３６としたが、音量を連続的に調整可能なボリューム（可変抵抗）であってもよいし、あるいは、装飾用ランプ・ＬＥＤや表示装置の輝度調整を行うための機構（ボリュームやスライドスイッチ）であってもよい。なお、調整機構の操作部は、カバー体２３の開口部５４から突出しない程度の長さであることが好ましい。また、ＲＡＭ等の不揮発性メモリにバックアップされている記憶内容をクリアするメモリクリアスイッチ等であってもよい。要は、制御装置の制御状態を調整するものであれば、どのようなものでもよい。
【００３６】
さらに、上記実施形態では、演出制御装置２２をカバー体２３で覆ったが、本発明はこれに限定されず、調整機構を備えた制御装置であれば他の制御装置（例えば、遊技制御装置）であってもよい。
【００３７】
また、図１２（ａ）に示すように、上側のガイド４３を逆ハ字状に配置し、係合部４０の係合先端部５１を、上側のガイド４３の下端の間隔、および下側のガイド４３の間隔よりも僅かに狭い幅で形成してもよい。このようにガイド４３および係合先端部５１を構成し、係合部４０を係合受部に係合しようとすると、係合先端部５１が係合位置から左右方向にずれていたとしても、ガイド４３が係合先端部５１を係合位置に案内することができる。したがって、カバー体２３が左右にずれていてもその位置を簡単に修正しながら取付作業を迅速に行うことができる。このことから、カバー体２３を不透明の樹脂で形成したために被係合部３８と係合部４０とがはっきりと視認できない場合であっても、カバー体２３の取付作業をスムーズに行うことができ、組立作業や保守作業の効率を向上させることができる。
【００３８】
なお、図１２（ｂ）に示すように、係合先端部５１を、制御基板ボックス３４の背面と被係合部３８の内面との距離よりも僅かに薄い板厚で形成すると共に、先端に向かって次第に薄くなるように傾斜部を形成すれば、係合部４０の左右方向の位置決めだけではなく前後方向の位置決めも簡単に行うことができて好適である。
【００３９】
上記実施形態は、代表的な遊技機であるパチンコ遊技機を例にして説明したが、本発明はこれに限らず、制御装置を配設し、この制御装置をカバー体で覆う遊技機であれば、例えば、内部に封入した遊技球を循環させる封入球式パチンコ機、アレンジボール式遊技機、雀球式遊技機等の遊技機であってもよい。
【００４０】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４１】
【図１】パチンコ遊技機の背面図である。
【図２】遊技盤の背面図である。
【図３】カバー体を取り外した状態の遊技盤の背面図である。
【図４】カバー体および演出制御装置を取り外した状態の遊技盤の背面図である。
【図５】取付ベース，演出制御装置，カバー体の前方から見た分解斜視図である。
【図６】上側取付ベースの背面図である。
【図７】演出制御装置の背面斜視図である。
【図８】（ａ）は被係合部の拡大図、（ｂ）は被係合部の断面図、（ｃ）は係合した状態の係合部および被係合部の断面図である。
【図９】カバー体の背面図である。
【図１０】カバー体の前方から見た斜視図である。
【図１１】カバー体の開口部およびスライドスイッチの断面図である。
【図１２】（ａ）はガイドの変形例の拡大図、（ｂ）は係合部の変形例の断面図である。
【符号の説明】
【００４２】
１  パチンコ遊技機
３  内枠
５  裏機構盤
６  開口窓部
７  遊技盤
１０  球排出機構
１１  排出制御装置
２０  取付ベース
２１  遊技制御装置
２２  演出制御装置
２３  カバー体
２４  上側取付ベース
２５  下側取付ベース
２６  表示装置後方カバー
２７  回動軸受
２８  装着プレート
３０  壁部
３１  流下樋
３３  演出制御基板
３４  制御基板ボックス
３５  コネクタ
３６  スライドスイッチ
３６ａ  操作部
３７  ボックス開口部
３８  被係合部
４０  係合部
４１  係合受空間
４３  ガイド
４５  取付部
４６  取付ボス
５０  支持部
５１  係合先端部
５２  窓部
５４  開口部
５６  取付孔
５７  係合機構
５８  係合機構受部
【図１】
2005323861.tif 000003
【図２】
2005323861.tif 000004
【図３】
2005323861.tif 000005
【図４】
2005323861.tif 000006
【図５】
2005323861.tif 000007
【図６】
2005323861.tif 000008
【図７】
2005323861.tif 000009
【図８】
2005323861.tif 000010
【図９】
2005323861.tif 000011
【図１０】
2005323861.tif 000012
【図１１】
2005323861.tif 000013
【図１２】
2005323861.tif 000014